【事件の表示】
　特願２０１６−５５６３９７「通信装置および通信方法」拒絶査定不服審判事件〔平成２８年５月６日国際公開、ＷＯ２０１６／０６７６９６、請求項の数（１０）〕について、次のとおり審決する。
【結　論】
　原査定を取り消す。
　本願の発明は、特許すべきものとする。
【理　由】
第１　手続の経緯
　本願は２０１５年（平成２７年）８月４日（優先権主張２０１４年１０月３１日、日本）を国際出願日とする出願であって、その手続の経緯は以下のとおりである。
　令和　元年　９月１２日付け：拒絶理由通知書
　令和　元年１１月１４日　　：意見書、手続補正書の提出
　令和　元年１１月２６日付け：拒絶査定
　令和　２年　２月２５日　　：拒絶査定不服審判の審判請求書、手続補正　　　　　　　　　　　　　　　書の提出
　令和　２年　５月１９日付け：前置報告
第２　原査定と前置報告書の概要
１　原査定の概要
　原査定（令和元年１１月２６日付け拒絶査定）の概要は次のとおりである。
（１）理由１（特許法第２９条第１項第３号）
　本願請求項１−４、１１−１４、１６−１８に係る発明は、以下の引用文献１に記載された発明であるから、特許法第２９条第１項第３号に該当し、特許を受けることができない。
（２）理由２（特許法第２９条第２項）
　本願請求項１−１８に係る発明は、以下の引用文献１に基づいて、その出願前にその発明の属する技術の分野における通常の知識を有する者が容易に発明をすることができたものであるから、特許法第２９条第２項の規定により特許を受けることができない。
引用文献等一覧
１．特開２００７−２１４９２０号公報
２　前置報告書の概要
　前置報告書の概要は次のとおりである。
（１）独立請求項である補正後の請求項８−１０に係る発明は、それぞれ補正前の請求項１６−１８に対応するものであると認められるが、補正前の請求項８−１０における発明特定事項の限定であるとは認められない。また、上記補正は、請求項の削除、明瞭でない記載の釈明、及び、誤記の訂正に該当するものでもない。
　したがって、この補正は、特許法第１７条の２第５項の各号に掲げるいずれの事項を目的とするものにも該当せず、同法第１７条の２第５項の規定に違反するものであるから、同法第１５９条第１項において読み替えて準用する同法第５３条第１項の規定により却下されるべきものである。
（２）以下の引用文献２に記載された発明に引用文献１に記載された発明を採用して請求項１−１０に係る発明とすることは当業者が容易に想到し得たことである。
引用文献等一覧
１．特開２００７−２１４９２０号公報
２．国際公開第２０１４／００３４６３号（新たに引用された文献）
第３　審判請求時の補正について
　審判請求時の補正（令和２年２月２５日付けの手続補正（以下、「本件補正」という。））は、以下に示すように、特許法第１７条の２第３項から第６項までの要件に違反しているものとはいえない。
１　本件補正の概要
　本件補正は、令和２年２月２５日に提出された拒絶査定不服審判の審判請求書も参酌すると、次のように補正するものである。
（１）本件補正前の本願請求項１の発明特定事項の「フレーム」を「ビーコンフレーム」とするとともに、「ビーコンフレームは、前記複数の他の通信装置各々宛てのデータフレームが存在する旨を示す情報を有し」という事項を追加し、「周波数」を「複数の他の通信装置の各々に割り当てられる」とし、さらに、「通信部」について「通信部は、前記複数の他の通信装置の各々から前記指定情報に基づいて周波数分割多重化されたＰＳ−Ｐｏｌｌフレームを受信し、前記複数の他の通信装置の各々に前記データフレームを送信し、前記複数の他の通信装置の各々から前記データフレームに対する周波数分割多重化されたＡＣＫフレームを受信する」という事項を追加し、本件補正後の本願請求項１とする。
（２）本件補正前の本願請求項２−７、１０、１２を削除する。
（３）本件補正前の本願請求項８、１１、１５の記載内容を本件補正後の請求項１の記載に整合させ、それぞれ、本件補正後の本願請求項２、４、７とする。
（４）上記（２）に伴い、本件補正前の本願請求項９の従属先を変更し、本件補正後の本願請求項３とする。
（５）本件補正前の本願請求項１３、１４の記載内容を本件補正後の本願請求項１の記載に整合させるとともに、上記（２）に伴い、従属先を変更して、本件補正後の本願請求項５、６とする。
（６）本件補正前の本願請求項１６が通信装置として当然に備える「通信部」を明記するとともに、請求項１に係る補正事項と同一の趣旨に基づいて補正し、本件補正後の本願請求項８とする。
（７）本件補正前の本願請求項１に対応するカテゴリーの異なる請求項であった本件補正前の本願請求項１７を請求項１に係る補正事項と同一の趣旨に基づいて補正し、本件補正後の本願請求項９とする。
（８）本件補正前の本願請求項１６に対応するカテゴリーの異なる請求項であった本件補正前の本願請求項１８を請求項１６（本件補正後の請求項８）に係る補正事項と同一の趣旨に基づいて補正し、本件補正後の本願請求項１０とする。
２　本件補正の内容
　上記１（１）、（３）ないし（８）の補正は、本願の発明の詳細な説明の段落【０１８９】から【０２２８】、【図２０】から【図２４】などの記載に基づくものであり、新規事項を追加する補正ではないし、発明の特別な技術的特徴を変更する補正でもない。
　また、上記１（１）、（３）ないし（８）の補正は、「フレーム」と「通信部」に関する発明特定事項又は当該発明特定事項に対応する発明特定事項を限定するものであり、かつ、発明特定事項の限定がなされた本件補正前の本願請求項１、８、９、１１、１３−１８と、本件補正後の本願請求項１−１０に記載される発明の産業上の利用分野及び解決しようとする課題は同一であるから、特許請求の範囲の減縮を目的とするものに該当する。
　そして、「第４　本願発明」から「第６　対比・判断」までに示すように、本件補正後の本願請求項１−１０に係る発明は、独立特許要件を満たすものである。
　なお、上記１（２）の補正が請求項の削除を目的とするものに該当することは明らかである。
第４　本願発明
　本願請求項１−１０に係る発明（以下、それぞれ「本願発明１」−「本願発明１０」という。）は、本件補正後の特許請求の範囲の請求項１−１０に記載された事項により特定される以下のとおりの発明である。
「【請求項１】
　複数の他の通信装置の各々について異なる、多重化のための送信処理を指定する指定情報を示すビーコンフレームを生成する処理部と、
　前記処理部により生成される前記ビーコンフレームを前記複数の他の通信装置に送信する通信部と、
　を備え、
　前記指定情報は、前記複数の他の通信装置の各々に割り当てられる周波数を示す情報を含み、
　前記ビーコンフレームは、前記複数の他の通信装置各々宛てのデータフレームが存在する旨を示す情報を有し、
　前記通信部は、前記複数の他の通信装置の各々から前記指定情報に基づいて周波数分割多重化されたＰＳ−Ｐｏｌｌフレームを受信し、前記複数の他の通信装置の各々に前記データフレームを送信し、前記複数の他の通信装置の各々から前記データフレームに対する周波数分割多重化されたＡＣＫフレームを受信する
　通信装置。
【請求項２】
　前記複数の他の通信装置に送信する前記データフレームは、周波数分割多重化される、請求項１に記載の通信装置。
【請求項３】
　前記指定情報は、前記データフレームの周波数分割多重化で用いられた周波数を示す情報である、請求項２に記載の通信装置。
【請求項４】
　前記通信部は、前記指定情報を示す前記ビーコンフレームに対する、前記指定情報を示す前記ビーコンフレームの受信から所定の時間経過後に前記複数の他の通信装置より送信される、周波数分割多重化された前記ＰＳ−Ｐｏｌｌフレームを受信し、
　前記処理部は、前記指定情報に基づいて前記ＰＳ−Ｐｏｌｌフレームの受信有無の判定を行う、請求項１に記載の通信装置。
【請求項５】
　前記処理部は、前記ＰＳ−Ｐｏｌｌフレームに、前記複数の他の通信装置の各々に割当てられた周波数の信号が含まれるかに基づいて前記判定を行う、請求項４に記載の通信装置。
【請求項６】
　前記処理部は、前記信号の復調により得られる前記ＰＳ−Ｐｏｌｌフレームの内容が所定の内容であるかに基づいて前記判定を行う、請求項５に記載の通信装置。
【請求項７】
　前記指定情報を示す前記ビーコンフレームは、前記指定情報を示す前記ビーコンフレームに対する前記ＰＳ−Ｐｏｌｌフレームの送信要求を示す応答要求情報を含む、請求項１に記載の通信装置。
【請求項８】
　他の通信装置からのビーコンフレームを受信する通信部と、
　前記他の通信装置から示される送信処理に従って、前記ビーコンフレームに対する応答を処理する処理部を備え、
　前記ビーコンフレームは周波数を示す情報と自装置宛てのデータフレームが存在する旨を示す情報を有し、
　前記通信部は、他の装置に他の子機とともに前記周波数を示す情報に基づいて周波数分割多重化されたＰＳ−Ｐｏｌｌフレームを送信し、前記他の通信装置から前記データフレームを受信し、前記他の装置に前記他の子機とともに前記データフレームに対する周波数分割多重化されたＡＣＫフレームの送信を行う通信装置。
【請求項９】
　複数の他の通信装置の各々について異なる、多重化のための送信処理を指定する指定情報を示すビーコンフレームを生成することと、
　生成される前記ビーコンフレームを前記複数の他の通信装置に送信することと、
　を含み、
　前記指定情報は、前記複数の他の通信装置の各々に割り当てられる周波数を示す情報を含み、
　前記ビーコンフレームは、前記複数の他の通信装置各々宛てのデータフレームが存在する旨を示す情報を有し、
　前記複数の他の通信装置の各々から前記指定情報に基づいて周波数分割多重化されたＰＳ−Ｐｏｌｌフレームを受信することと、
　前記複数の他の通信装置の各々に前記データフレームを送信することと、
　前記複数の他の通信装置の各々から前記データフレームに対する、周波数分割多重化されたＡＣＫフレームを受信することとを含む通信方法。
【請求項１０】
　他の通信装置からのビーコンフレームの受信処理を行うことと、
　複数の通信装置の各々について異なる、前記他の通信装置から示される送信処理に従って、前記ビーコンフレームに対する応答を処理することと、
　を含み、
　前記ビーコンフレームは周波数を示す情報と前記複数の通信装置宛てのデータフレームが存在する旨を示す情報を有し、
　前記他の通信装置に、前記周波数を示す情報に基づいて前記複数の通信装置によって周波数分割多重化されたＰＳ−Ｐｏｌｌフレームを送信することと、
　前記他の通信装置から前記データフレームを受信することと、
　前記他の通信装置に、前記データフレームに対する、前記複数の通信装置によって周波数分割多重化されたＡＣＫフレームを送信することとを含む通信方法。」
第５　引用文献、引用発明等
１　引用文献１について
　原査定の拒絶の理由に引用された引用文献１には、図面とともに、以下の記載事項がある。（なお、下線は当審にて付与した。）
（１）「【０００１】
　本発明は、無線通信システムに関するものであり、特に、無線ＬＡＮ通信において、
送達確認フレームであるＡＣＫ／ＮＡＣＫ（ACKnowledgement/NegativeACKnowledgement）などの制御フレームを複数端末間で多重して送信する無線通信システム
（２）「【００２４】
実施の形態１．
　図１は、本発明にかかる無線通信システム（家庭／オフィス向けの無線ネットワーク）の構成を示す図である。この
無線通信システムは、
基地局（ＡＰ）１と、複数の無線端末（ＳＴＡ）２−１〜２−ｎから構成される。
【００２５】
　
基地局１は、
通信ユニットシステム１１を備える。
通信ユニットシステム１１は、
無線ユニット１４と、を備える。
【００２６】
　また、
各無線端末は、それぞれ、
端末ユニットシステム２２と、を備える。
端末ユニットシステムは、
無線ユニット２４と、を備える。
（３）「【００２８】
　図２は、本実施の形態の
無線ユニット１４，２４
送信データの作成および送信タイミングなどの管理を行う送信制御部（MAC Tx）３３
受信制御部（MAC Rx）３４
送信データを変調する送信変調部（Tx PHY）３５
受信復調部（Rx PHY）３６
有する。
【００２９】
　図３は、本実施の形態のＴＭＡ（Tone Multiple ACK）を用いたフレーム送受信シーケンスを示す図である。本実施の形態では、複数のユーザーから送信される送達確認（ＡＣＫ／ＮＡＣＫ）フレームを１つの無線フレームに多重する方法を示す。また、この方式を“Tone Multiplex ACK”と呼ぶことにする。本実施の形態では、
送達確認フレームの送信に関する情報（ＴＭＡフレームの構成）を、ＴＭＡインフォメーションフィールド（TMA Information  Field）と呼ばれる複数のパラメータ（タイミング，送信方法，送信位置，電力など）からなるフィールドに含め、当該ＴＭＡインフォメーションフィールドが所定位置に配置されたアグリゲーションフレーム（Aggregation Frame）を各無線端末に対して通知する。
【００３０】
　まず、
基地局１が、ＴＭＡインフォメーションフィールドを含む各無線端末宛のアグリゲーションフレームを図２の送信制御部３３にて作成し、アクセス手順に則って送信変調部３５にて変調し、送信する。
【００３１】
　つぎに、
各無線端末は、受信復調部３６にてアグリゲーションフレームを受信し、受信制御部３４にてＴＭＡインフォメーションフィールドと自端末向けのデータを抽出する。
送達成功を示す送達確認フレーム（ＡＣＫ）の送信を行う。
【００３２】
　その際、
送信制御部３３が、ＴＭＡインフォメーションフィールドにて指定されたフレーム構成（タイミング，サブキャリア等）で送信フレームを作成し、送信変調部３５が、割り当てられた送信タイミング，アクセス手順に則って、ＴＭＡインフォメーションフィールドにおいて指定された送信方法で送信を行う。
【００３３】
　つぎに、
基地局１においては、事前のＴＭＡインフォメーションフィールドに基づいて各無線端末から送信された送達確認フレームを受信復調部３６にて受信し、受信制御部３４がその内容を解析し、各無線端末から多重された送達確認フレーム（ＴＭＡ）がＡＣＫまたはＮＡＣＫであることを認識する。
（中略）
【００３６】
　左の矩形は、基地局１（または特定の無線端末）から送信される複数の宛先を含むアグリゲーションフレームである。この
アグリゲーションフレームは、タイミング同期，周波数同期， ＡＧＣなどを行うためのトレーニング部分および以降のシンボルに対する変調方式，データ長などを示すSignal部分（“HT　Training+Signal”および“Legacy Training+Signal”）、ＴＭＡの構成や制御パラメータを宛先ＳＴＡに通知するＴＭＡインフォメーションフィールド、その後にＭＰＤＵ（MAC Protocol Data Unit）、が続く構成となっている。」
（４）「【００３８】
　また、アグリゲーションフレームに関しては、本方式に限らず、図５５〜図５８など、どのような構成でもかまわない。また、受信側端末がＴＭＡを送信するために必要となる
ＴＭＡインフォメーションフィールドは、
Beaconなどのフレームによって通知してもかまわない。
（５）「【００４１】
　図５は、本実施の形態におけるＴＭＡの実施例を示す図であり、基地局１（または特定の無線端末）と宛先無線端末２−１，２−２，２−３との関係を示している。ここでは、図４と同様に、無線端末２−１，２−２，２−３が、通知された送達確認フレーム（ＴＭＡ）に関する情報に基づいて、アグリゲーションフレームの送信元である基地局１に対してＴＭＡを送信している様子が示されている。各端末（ＡＰ，ＳＴＡ）の横にある矩形は、横軸を時間（またはシンボル）、縦軸を
周波数（または、Ｔｏｎｅ，サブキャリア）
各無線端末が、事前に割り当てられた位置
周波数
を使用して、送信元の基地局１に対して送達確認フレームを送信し、基地局１が、多重された送達確認フレームを受信している。
（６）図１
（７）図２
（８）図３
（９）図５
（１０）上記（１）から（９）の記載事項から、引用文献１には以下の発明（以下、「引用発明」という。）が記載されていると認める。
「基地局（ＡＰ）１と複数の無線端末（ＳＴＡ）２−１〜２−ｎから構成され、送達確認フレームであるＡＣＫ／ＮＡＣＫ（ACKnowledgement/Negative  ACKnowledgement）などの制御フレームを複数端末間で多重して送信する無線通信システムの基地局１であって、（１、２、６）
　前記基地局１は無線ユニット１４を有する通信ユニットシステム１１を備え、（２、６）
　前記各無線端末は無線ユニット２４を有する端末ユニットシステム２２を備え、（２、６）
　前記無線ユニット１４と２４はそれぞれ、送信データの作成および送信タイミングなどの管理を行う送信制御部３３、受信制御部３４、送信データを変調する送信変調部３５及び、受信復調部３６を有し、（３、７）
　前記送達確認フレームの送信に関する情報を、ＴＭＡインフォメーションフィールドと呼ばれる複数のパラメータ（タイミング，送信方法，送信位置，電力など）からなるフィールドに含め、当該ＴＭＡインフォメーションフィールドが所定位置に配置されたアグリゲーションフレームを送信制御部３３にて作成し、アクセス手順に則って送信変調部３５にて変調し、送信し、（３）
　前記アグリゲーションフレームは、トレーニング部分およびSignal部分、ＴＭＡインフォメーションフィールド、その後にＭＰＤＵ（MAC ProtocolData Unit）、が続く構成であり、（３）
　前記ＴＭＡインフォメーションフィールドはBeaconフレームによって通知することができ、（３、４、８）
　前記各無線端末は、受信復調部３６にてアグリゲーションフレームを受信し、受信制御部３４にてＴＭＡインフォメーションフィールドと自端末向けのデータを抽出するとともに、送信制御部３３が、ＴＭＡインフォメーションフィールドにて指定されたフレーム構成（タイミング，サブキャリア等）で送信フレームを作成し、送信変調部３５が、割り当てられた送信タイミング、アクセス手順に則って、ＴＭＡインフォメーションフィールドにおいて指定された送信方法で、すなわち事前に割り当てられた位置（時間と周波数）を使用して、送達成功を示す送達確認フレーム（ＡＣＫ）の送信を行い、（３、５、８、９）
　前記基地局１は、事前のＴＭＡインフォメーションフィールドに基づいて各無線端末から送信された送達確認フレームを受信復調部３６にて受信し、受信制御部３４がその内容を解析し、各無線端末から多重された送達確認フレームがＡＣＫまたはＮＡＣＫであることを認識する、（３、８）
　基地局１。」
２　その他の文献について
　前置報告書において新たに引用された引用文献２には、図面とともに、以下の記載事項がある。（なお、下線は当審にて付与した。また、当審仮訳として、ファミリ文献の特表２０１５−５１５２０７号公報を参考にした。）
（１）「
」
（当審仮訳：[８]　要約：本発明の第１の技術的側面は、
無線通信システム
ステーション（ＳＴＡ：Ｓｔａｔｉｏｎ）がチャネルアクセスを行う方法において、ＴＩＭ（ＴｒａｆｆｉｃＩｎｄｉｃａｔｉｏｎ Ｍａｐ）を含むビーコンフレームを受信するステップと、前記ＴＩＭによって前記ＳＴＡにバッファされたトラフィックがあると指定された場合、ＰＳ（ＰｏｗｅｒＳａｖｅ）−Ｐｏｌｌフレームを送信するステップと、を含み、
（２）「
」
（当審仮訳：[３５]　 図２は、本発明を適用し得るＩＥＥＥ  ８０２．１１システムの他の例示的な構造を示す図である。図２は、図１の構造において、分配システム（ＤｉｓｔｒｉｂｕｔｉｏｎＳｙｓｔｅｍ；ＤＳ）、分配システム媒体（Ｄｉｓｔｒｉｂｕｔｉｏｎ Ｓｙｓｔｅｍ  Ｍｅｄｉｕｍ；ＤＳＭ）、
アクセスポイント（Ａｃｃｅｓｓ Ｐｏｉｎｔ；ＡＰ）
（３）「
」
（当審仮訳：[１０９]　ＩＥＥＥ　８０２．１１に基づく無線ＬＡＮシステムにおいて、ＭＡＣ（Ｍｅｄｉｕｍ　Ａｃｃｅｓｓ　Ｃｏｎｔｒｏｌ）の基本アクセスメカニズムは、ＣＳＭＡ／ＣＡ（Ｃａｒｒｉｅｒ　Ｓｅｎｓｅ　Ｍｕｌｔｉｐｌｅ　Ａｃｃｅｓｓ　ｗｉｔｈ　Ｃｏｌｌｉｓｉｏｎ　Ａｖｏｉｄａｎｃｅ）メカニズムである。ＣＳＭＡ／ＣＡメカニズムは、ＩＥＥＥ８０２．１１ ＭＡＣの分配調整機能（Ｄｉｓｔｒｉｂｕｔｅｄ　Ｃｏｏｒｄｉｎａｔｉｏｎ　Ｆｕｎｃｔｉｏｎ、ＤＣＦ）とも呼ばれるが、基本的に「ｌｉｓｔｅｎ　ｂｅｆｏｒｅ　ｔａｌｋ」アクセスメカニズムを採用している。このような類型のアクセスメカニズムによれば、ＡＰ及び／又はＳＴＡは送信を開始するに先立ち、所定の時間区間（例えば、ＤＩＦＳ（ＤＣＦ　Ｉｎｔｅｒ−Ｆｒａｍｅ　Ｓｐａｃｅ）の間に無線チャネル又は媒体（ｍｅｄｉｕｍ）をセンシング（ｓｅｎｓｉｎｇ）する
ＣＣＡ（Ｃｌｅａｒ　Ｃｈａｎｎｅｌ　Ａｓｓｅｓｓｍｅｎｔ）
（４）「
」
（当審仮訳：[１５９]　図１７を参照すると、
ＳＴＡは、ＡＰからＴＩＭを含むビーコンフレームを受信するためにスリープ状態からアウェイク状態に切り替わり、受信したＴＩＭ要素を解釈して、自身に送信されるバッファされたトラフィックがあることを確認できる。ＳＴＡは、ＰＳ−Ｐｏｌｌフレームの送信のための媒体アクセスのために他のＳＴＡと競合（ｃｏｎｔｅｎｄｉｎｇ）を行った後に、ＡＰにデータフレーム送信を要請するためにＰＳ−Ｐｏｌｌフレームを送信することができる。ＳＴＡによって送信されたＰＳ−Ｐｏｌｌフレームを受信したＡＰは、ＳＴＡにフレームを送信することができる。ＳＴＡはデータフレームを受信し、それに対する確認応答（ＡＣＫ）フレームをＡＰに送信することができる。
（５）「
」
（当審仮訳：[２３９]　図２８を参照すると、
各ＳＴＡのＰＳ−Ｐｏｌｌ区間（ｉｎｔｅｒｖａｌ）は、ビーコンに含まれたＴＩＭ情報要素に基づいて各ＳＴＡ別に指定されており、ＰＳ−Ｐｏｌｌを行うＳＴＡ間にＰＳ−Ｐｏｌｌ区間の位置が互いに異なるように設定される。
（６）「
」
（当審仮訳：[２５７]　図２９では、
ＳＴＡ１、ＳＴＡ２、ＳＴＡ３のためのデータフレームをＡＰが有しており、このような事実をビーコンフレームのＴＩＭ要素を通じてＳＴＡ１、ＳＴＡ２、ＳＴＡ３に知らせたと仮定する。
[２５８]　図２９を参照すると、
ビーコンのＴＩＭで３個のＳＴＡ（ＳＴＡ１、ＳＴＡ２、ＳＴＡ３）が順次に指示されると、各ＳＴＡは、ＳＴＡ１、ＳＴＡ２、ＳＴＡ３の順にＰＳ−Ｐｏｌｌ区間が設定され、各ＳＴＡは自身のＰＳ−Ｐｏｌｌ区間の位置を、ＴＩＭに含まれた情報から確認できる。
（７）「
」
（当審仮訳：[２６２]　
ＡＰは総ＰＳ−Ｐｏｌｌ区間が終わった後、各ＳＴＡにデータを送信し、各ＳＴＡ（最後のＳＴＡは除く）は、総ＰＳ−Ｐｏｌｌ区間が終わる時点でアウェイク状態に切り替わり、ＡＰからデータを受信するためにＣＣＡを行う。最後のＳＴＡ（ＳＴＡ３）は自身のＰＳ−Ｐｏｌｌ区間からアウェイク状態を維持してＣＣＡを行うようになる。ＡＰは、任意バックオフ周期に基づいて競合（ｃｏｎｔｅｎｔｉｏｎ）を行って各ＳＴＡにデータを送信することができる。
ＡＰは、各ＳＴＡ別にバックオフカウント値を選択し、バックオフカウント値が最も小さいＳＴＡからバックオフカウント値が最も大きいＳＴＡの順にデータを送信することができる。
ＳＴＡ１のバックオフカウント値が最も小さく、次にＳＴＡ２が小さく、ＳＴＡ３のバックオフカウント値が最も大きい場合
ＡＰは、ＡＩＦＳの間に媒体が遊休状態であることを確認し、バックオフスロットをカウントダウンした後、データフレームをＳＴＡ１に送信する。
[２６３]　
ＡＰからデータフレームを受信したＳＴＡ１は、ＳＩＦＳ以降にＡＰにＡＣＫフレームを送信する。
ＡＰによるＳＴＡ１へのデータ送信が終了する時点でＳＴＡ２とＳＴＡ３はスリープ状態からアウェイク状態に切り替わり、以降、競合ベースでＡＰからデータフレームを受信する。
（８）FIG.29（図２９）
（９）上記（５）から（７）の記載を踏まえると、上記（８）からはＡＰがＴＩＭ要素を含むビーコン（図２９の“Beacon(TIM)”）を各ＳＡＴに送信し、各ＳＡＴは各ＳＡＴに設定されたＰＳ−Ｐｏｌｌ区間（図２９の“PS-Poll Interval of a STA”）にＰＳ−ＰｏｌｌをＡＰに送信し、各ＳＡＴはＡＰからデータフレーム（図２９の“DL data”）を受信した後にＡＰに対してＡＣＫフレームを送信していることがみてとれる。
（１０）上記（１）から（９）の記載事項から、引用文献２には次の技術的事項（無線通信システム）が記載されているといえる。
「ＡＰ（Ａｃｃｅｓｓ Ｐｏｉｎｔ）と複数のＳＡＴ（Ｓｔａｔｉｏｎ）から構成された無線通信システムであって、
　前記各ＳＴＡのためのデータフレームをＡＰが有していることをビーコンフレームのＴＩＭ要素を通じて各ＳＴＡに知らせ、
　前記ＴＩＭによって前記ＳＴＡにバッファされたトラフィックがあると指定された場合に，前記ビーコンフレームを受信した各ＳＡＴは各ＳＡＴに設定されたＰＳ−Ｐｏｌｌ区間にＰＳ−ＰｏｌｌをＡＰに送信し、ここで、各ＳＴＡのＰＳ−Ｐｏｌｌ区間は、ビーコンに含まれたＴＩＭ要素に基づいて各ＳＴＡ別に指定されるものであり、ＰＳ−Ｐｏｌｌを行うＳＴＡ間にＰＳ−Ｐｏｌｌ区間の位置が互いに異なるように設定されており、
　前記各ＳＴＡ（最後のＳＴＡは除く）は、総ＰＳ−Ｐｏｌｌ区間が終わる時点でアウェイク状態に切り替わり、ＡＰからデータを受信するために無線チャネルをセンシングするＣＣＡを行い、最後のＳＴＡは自身のＰＳ−Ｐｏｌｌ区間からアウェイク状態を維持してＣＣＡを行い、
　前記ＡＰは総ＰＳ−Ｐｏｌｌ区間が終わった後、バックオフカウント値が最も小さいＳＴＡからバックオフカウント値が最も大きいＳＴＡの順にデータを送信し、
　前記ＳＡＴはＡＰからデータフレームを受信した後にＡＰにＡＣＫフレームを送信し、
　ＳＴＡ１のバックオフカウント値が最も小さく、次にＳＴＡ２が小さく、ＳＴＡ３のバックオフカウント値が最も大きい場合，ＳＴＡ１がＡＰにＡＣＫフレームを送信する時点でＳＴＡ２とＳＴＡ３はスリープ状態からアウェイク状態に切り替わり、以降、競合ベースでＡＰからデータフレームを受信する、
　無線通信システム。」
第６　対比・判断
１　本願発明１について
（１）対比
　本願発明１と引用発明とを対比する。
ア　引用発明は「無線通信システム」を構成する「基地局１」であるから、本願発明１である『通信装置』に含まれる。また、引用発明における「複数の無線端末」は、引用発明である「基地局１」とともに「無線通信システム」を構成するものであるから、本願発明１における『複数の他の通信装置』に含まれる。
イ　引用発明における「ＴＭＡインフォメーションフィールド」は「各無線端末」が「送達成功を示す送達確認フレーム（ＡＣＫ）」を送信するための「フレーム構成（タイミング，サブキャリア等）」を指定するものであり、サブキャリア（周波数）を示す情報を含んでいる。
　したがって、引用発明における「ＴＭＡインフォメーションフィールド」は、本願発明１でいう『複数の他の通信装置の各々について異なる、多重化のための送信処理を指定する指定情報』であって、『複数の他の通信装置の各々に割り当てられる周波数を示す情報を含』む『指定情報』に相当する。
ウ　引用発明における「ＴＭＡインフォメーションフィールド」は「Beaconフレームによって通知することができ」るものであるから、本願発明１でいう『ビーコンフレーム』が『複数の他の通信装置各々宛てのデータフレームが存在する旨を示す情報を有』するという点を除き、引用発明における「Beaconフレーム」は本願発明１でいう『ビーコンフレーム』に相当する。
エ　引用発明と無線通信を行う「各無線端末」は「アグリゲーションフレームを受信し」ており、引用発明におけるアグリゲーションフレームはトレーニング部分およびSignal部分、ＴＭＡインフォメーションフィールド、その後にＭＰＤＵ（MACProtocol Data Unit）が含まれている。
　ここで、「ＴＭＡインフォメーションフィールド」を「Beaconフレーム」で通知する場合には、「アグリゲーションフレーム」はトレーニング部分およびSignal部分、その後にＭＰＤＵ（MAC Protocol Data Unit）抽出されるフレームであるから、本願発明１でいう『データフレーム』であるといえる。
オ　引用発明における「送信制御部３３」は「ＴＭＡインフォメーションフィールドを含む各無線端末宛のアグリゲーションフレーム」を作成するものである。
　ここで、引用発明が「送信制御部３３」と「送信変調部３５」とを有する「無線ユニット１４」を１つだけ備える構成であることを踏まえれば、「ＴＭＡインフォメーションフィールド」を「Beaconフレーム」で通知する場合には「Beaconフレーム」も引用発明の「送信制御部３３」で作成されると考えるのが自然である。
　してみると、本願発明１でいう『ビーコンフレーム』が『複数の他の通信装置各々宛てのデータフレームが存在する旨を示す情報を有』するという点を除き、引用発明の「送信制御部３３」は、本願発明１でいう『複数の他の通信装置の各々について異なる、多重化のための送信処理を指定する指定情報を示すビーコンフレームを生成する処理部』に相当する。
カ　引用発明の「送信変調部３５」は引用発明の「送信制御部３３」で作成された「各無線端末宛のアグリゲーションフレーム」を変調するものである。
　ここで、送信データとして「Beaconフレーム」を送信するに際し、引用発明の「送信制御部３３」は、送信データの作成を行い、「送信変調部３５」は送信データを変調するから、「Beaconフレーム」は「送信制御部３３」で作成され、「送信変調部３５」で変調され、送信されるものである。
　してみると、上記エで言及したことも踏まえると、引用発明の「送信変調部３５」は、本願発明１の『通信部』が行う『処理部により生成される前記ビーコンフレームを前記複数の他の通信装置に送信する』との処理及び、『複数の他の通信装置の各々に前記データフレームを送信』する処理を行っている。
キ　引用発明の「基地局１」は「事前のＴＭＡインフォメーションフィールドに基づいて各無線端末から送信された送達確認フレームを受信復調部３６にて受信し、受信制御部３４がその内容を解析し、各無線端末から多重された送達確認フレームがＡＣＫまたはＮＡＣＫであることを認識する」から、引用発明の「受信復調部３６」は、本願発明１の『通信部』が行う『複数の他の通信装置の各々から前記データフレームに対する周波数分割多重化されたＡＣＫフレームを受信する』との処理を行っている。
ク　上記カとキより、引用発明の「送信変調部３５」と「受信復調部３６」とは、本願発明１の『通信部』が『複数の他の通信装置の各々から前記指定情報に基づいて周波数分割多重化されたＰＳ−Ｐｏｌｌフレームを受信』するとの処理を行っている点を除き、本願発明１でいう『通信部』に相当する。
（２）一致点及び相違点
　上記（１）で対比した様に、本願発明１と引用発明とは、
「複数の他の通信装置の各々について異なる、多重化のための送信処理を指定する指定情報を示すビーコンフレームを生成する処理部と、
　前記処理部により生成される前記ビーコンフレームを前記複数の他の通信装置に送信する通信部と、
　を備え、
　前記指定情報は、前記複数の他の通信装置の各々に割り当てられる周波数を示す情報を含み、
　前記通信部は、前記複数の他の通信装置の各々に前記データフレームを送信し、前記複数の他の通信装置の各々から前記データフレームに対する周波数分割多重化されたＡＣＫフレームを受信する
　通信装置。」
で一致しており、以下の点で相違している。
［相違点１］
　本願発明１の『ビーコンフレーム』は『複数の他の通信装置各々宛てのデータフレームが存在する旨を示す情報を有』するのに対し、引用発明における「Beaconフレーム」は“データフレームが存在する旨を示す情報”を有していない点。
［相違点２］
　本願発明１の『通信部』は『複数の他の通信装置の各々から前記指定情報に基づいて周波数分割多重化されたＰＳ−Ｐｏｌｌフレームを受信』するのに対し、引用発明の「受信復調部３６」は“複数の他の通信装置の各々から前記指定情報に基づいて周波数分割多重化されたＰＳ−Ｐｏｌｌフレームを受信”しない点。
（３）判断
　相違点２の「ＰＳ−Ｐｏｌｌフレーム」は、本願の発明の詳細な説明の段落【０１９０】の「子機がパワーセーブモードにある場合、親機は子機宛てのデータフレームをバッファリングし、親機が送信するビーコン（Beacon）フレームにバッファリングされるデータフレームが存在する旨を示す情報が含まれる。」との記載及び、段落【０１９１】の「パワーセーブモードの子機は、ビーコンフレームの受信の際に、スリープ状態からアクティブ状態に自機の状態を遷移させ、自機宛てのデータフレームがバッファリングされている場合は、ＰＳ（Power Save）−Ｐｏｌｌフレームを親機に送信する。」との記載に基づけば、「複数の他の通信装置各々宛てのデータフレームが存在する」場合に「複数の他の通信装置の各々」が送信し、本願発明１の「通信部」が受信するものである。
　したがって、上記（２）に示した相違点２の「ＰＳ−Ｐｏｌｌフレームを受信」するのは、相違点１の「複数の他の通信装置各々宛てのデータフレームが存在する旨を示す情報を有」する場合であるから、相違点１と２を一体的に判断する。
　引用文献２には、第５の２に説示したとおりの無線通信システムが記載されており、各ＳＡＴがＰＳ−ＰｏｌｌをＡＰに送信するＰＳ−Ｐｏｌｌ区間の位置をビーコンフレームのＴＩＭ要素が指定しているものの、各ＳＡＴはＰＳ−Ｐｏｌｌを送信すると，アウェイクしてキャリアセンスであるＣＣＡを行い、ＡＰはバックオフ値が小さい順にＳＴＡにデータ送信を行い、ＳＴＡがＡＣＫを送信する時点で他のＳＴＡがアウェイクしてＡＰからデータを受信している。
　つまり、引用文献２のＡＰは、多重化されたＡＣＫフレームを受信しない通信方式の発明であるから、引用文献１に引用文献２を組み合わせることはできない。
　仮に、引用発明と引用文献２を組み合わせても、基地局は周波数分割多重化されたＰＳ−Ｐｏｌｌを受信するが、ＡＣＫは個別に受信するのであって周波数分割多重化されたＡＣＫを受信しない通信装置や通信方法が構成されるだけである。
　したがって、本願発明１は、当業者であっても、引用発明、引用文献２に記載された技術的事項に基づいて容易に発明できたものであるとはいえない。
２　本願発明２−７について
　
　本願発明２−７も、本願発明１と同一の構成を備えるものであるから、本願発明１と同じ理由により、当業者であっても、引用発明、引用文献２に記載された技術的事項に基づいて容易に発明できたものとはいえない。
３　本願発明８について
　本願発明８は、本願発明１に係る通信装置の通信相手となる通信装置に係る発明であり、本願発明１に対応する構成を備えるものであるから、本願発明１と同じ理由により、当業者であっても、引用発明、引用文献２に記載された技術的事項に基づいて容易に発明できたものとはいえない。
４　本願発明９について
　本願発明９は、本願発明１に対応する方法の発明であり、本願発明１に対応する構成を備えるものであるから、本願発明１と同じ理由により、当業者であっても、引用発明、引用文献２に記載された技術的事項に基づいて容易に発明できたものとはいえない。
５　本願発明１０について
　本願発明１０は、本願発明８に対応する方法の発明であり、本願発明１に対応する構成を備えるものであるから、本願発明８と同じ理由により、当業者であっても、引用発明、引用文献２に記載された技術的事項に基づいて容易に発明できたものとはいえない。
第７　原査定について
１　理由１（特許法第２９条第１項第３号）
　本願発明１、４−６と引用発明は、上記第６の１（２）のとおり、相異点１及び２を有する。したがって、拒絶査定において引用された引用文献１に記載された発明ではないから、原査定の理由１を維持することはできない。
　また、本願発明１が有する上記事項と対応する事項を有する本願発明８−１０についても本願発明１と同様の理由により、原査定の理由１を維持することはできない。
２　理由２（特許法第２９条第２項）
　上記第６の１（３）で説示したとおり、審判請求時の補正により、本願発明１−７は「ビーコンフレーム」が「複数の他の通信装置各々宛てのデータフレームが存在する旨を示す情報を有」し、「通信部」が「複数の他の通信装置の各々から前記指定情報に基づいて周波数分割多重化されたＰＳ−Ｐｏｌｌフレームを受信」するという事項を有するものとなっており、拒絶査定において引用された引用文献１に基づいて、容易に発明できたものとはいえない。したがって、原査定の理由２を維持することはできない。
　また、本願発明１が有する上記事項と対応する事項を有する本願発明８−１０についても本願発明１と同様の理由により、原査定の理由２を維持することはできない。
第８　むすび
　以上のとおり、原査定の理由によっては、本願を拒絶することはできない。
　また、他に本願を拒絶すべき理由を発見しない。
　よって、結論のとおり審決する。